(57)【要約】【課題】カバー体が目地の幅方向に個々にずれても、常に通水間隙の整一な連続性を維持し得る床用目地カバー装置を提供する。【解決手段】カバー体Ｃの一端が連結される建造物Ａの床ｆ1 の側縁に、床ｆ1 と同一高さ位置で目地ｓに沿う方向に延在する通水間隙２０を備えた保持受枠１６を配設した。これにより、地震或いはカバー体Ｃ上の通行による振動等に起因して複数のカバー体Ｃが目地ｓの幅方向に個々にずれても、そのずれに関わらず、常に通水間隙２０が目地ｓに沿う方向に整一に連続する状態が得られる。【選択図】図４
2011058224.tif 000002
【特許請求の範囲】
【請求項１】
隣接する建造物の床相互間の目地に差し渡されるカバー体の一端が、一方の床の側縁に連結手段を介して連結されるとともに、該カバー体の他端を自由端とし、該自由端が他方の床の側縁に摺動可能に乗載されてなる床用目地カバー装置において、
カバー体の一端が連結される一方の床の側縁に、カバー体の一端を支承する保持受枠が目地に沿う方向に配設され、該保持受枠に、目地に沿う方向に延在する通水間隙を上部に備え、かつ該通水間隙からカバー体の下部を経て目地に連通する連通間隙を備えた排水路が設けられていることを特徴とする床用目地カバー装置。
【請求項２】
保持受枠が、
水平縁と該水平縁の外端から上方に立ち上がる垂直縁とからなる受枠基体と、
垂直板部と水平板部とによりＬ形に形成され、受枠基体の内面に、目地に沿う方向に所定間隔で配設された複数の支持片と、
各支持片の垂直板部の上端に差し渡された単一または複数の桟杆と、
各支持片の水平板部の上端に差し渡されてカバー体の一端の下部を支承する支承板と
を備えてなり、
垂直板部の上端に差し渡された桟杆の側部に生じる間隙によって通水間隙が形成され、該通水間隙の下方領域で垂直板部の幅員によって生じる隙間及び支承板と受枠基体の水平縁との間に生じる間隙によって連通間隙が形成されていることを特徴とする請求項１記載の床用目地カバー装置。
【発明の詳細な説明】
【技術分野】
【０００１】
本発明は、排水機能を備えた床用目地カバー装置に関する。
【背景技術】
【０００２】
隣接する建造物の床相互間の目地を覆う床用目地カバー装置にあって、排水機能を備えたものが本願出願人によって既に提案されている（特許文献１参照）。
【０００３】
かかる床用目地カバー装置は、図７に示すように、目地ｓを覆うカバー体Ｃの端縁に複数の足板ａが、その下端をカバー体Ｃの底面より下方に突出させた状態で目地ｓの長手方向に沿って適宜間隔で配設され、各足板ａの上端に適宜数の桟杆ｂを横架することにより目地ｓの長手方向に沿う通水間隙ｃが設けられている。また、床ｆの側縁には、水平受縁ｅと該水平受縁ｅの外端から上方に立ち上がる垂直縁ｇを備えた断面略Ｌ形の受枠ｄが目地の長手方向に沿って配設されており、該受枠ｄの水平受縁ｅ上に前記足板ａを乗載してカバー体Ｃの端部を支持させることにより、前記通水間隙ｃからカバー体Ｃの下部を経て目地ｓに連通する通水路ｈが設けられている。また、カバー体Ｃには、該カバー体Ｃが目地ｓの幅方向にずれた場合に、そのずれを修正するための押圧バネｊが両端縁に配設されている。
【先行技術文献】
【特許文献】
【０００４】
【特許文献１】特開平９−２１１９０号公報
【発明の概要】
【発明が解決しようとする課題】
【０００５】
ところで、従来構成の床用目地カバー装置にあって、カバー体Ｃは目地ｓの長手方向に沿って複数個が連続して配設されるのであるが、地震或いはカバー体Ｃ上の通行による衝撃や振動等によって、各カバー体Ｃが目地ｓの幅方向に個々にずれた場合に、押圧バネｊではそのずれが完全に修正ができないため、各カバー体Ｃの端縁に設けられている通水間隙ｃが目地ｓの長手方向に整一に連続しなくなり、見栄えが悪いという問題点があった。
【０００６】
本発明は、かかる従来の問題点を解消するためになされたものであって、カバー体が目地の幅方向に個々にずれても、常に通水間隙の整一な連続性を維持し得る床用目地カバー装置を提供することを目的とするものである。
【課題を解決するための手段】
【０００７】
本発明は、隣接する建造物の床相互間の目地に差し渡されるカバー体の一端が、一方の床の側縁に連結手段を介して連結されるとともに、該カバー体の他端を自由端とし、該自由端が他方の床の側縁に摺動可能に乗載されてなる床用目地カバー装置において、カバー体の一端が連結される一方の床の側縁に、カバー体の一端を支承する保持受枠が目地に沿う方向に配設され、該保持受枠に、目地に沿う方向に延在する通水間隙を上部に備え、かつ該通水間隙からカバー体の下部を経て目地に連通する連通間隙を備えた排水路が設けられていることを特徴とする床用目地カバー装置である。
【０００８】
ここで、目地に沿う方向に延在する通水間隙は、ハイヒールの踵が嵌り込まない程度の複数のスリット状細隙として設けられる。
【０００９】
上述した床用目地カバー装置にあって、保持受枠が、水平縁と該水平縁の外端から上方に立ち上がる垂直縁とからなる受枠基体と、垂直板部と水平板部とによりＬ形に形成され、受枠基体の内面に、目地に沿う方向に所定間隔で配設された複数の支持片と、各支持片の垂直板部の上端に差し渡された単一または複数の桟杆と、各支持片の水平板部の上端に差し渡されてカバー体の一端の下部を支承する支承板とを備えてなり、垂直板部の上端に差し渡された桟杆の側部に生じる間隙によって通水間隙が形成され、該通水間隙の下方領域で垂直板部の幅員によって生じる隙間及び支承板と受枠基体の水平縁との間に生じる間隙によって連通間隙が形成されている構成が提案される。
【発明の効果】
【００１０】
本発明は、上述したように、カバー体の一端が連結される一方の床の側縁に、カバー体の一端を支承する保持受枠が目地に沿う方向に配設され、該保持受枠に、目地に沿う方向に延在する通水間隙を上部に備え、かつ該通水間隙からカバー体の下部を経て目地に連通する連通間隙を備えた排水路が設けられているので、降雨時に雨水を排水路の通水間隙から連通間隙内に流入させ、かつ該連通間隙を介して目地へ流出させることができる。そして、前記通水間隙が保持受枠に設けられていることにより、複数のカバー体が目地の幅方向に個々にずれても、そのずれに関わらず、常に通水間隙が目地に沿う方向に整一に連続する状態が得られ、従来構成に比して外的美観を向上させることができる。
【００１１】
また、保持受枠が、水平縁と該水平縁の外端から上方に立ち上がる垂直縁とからなる受枠基体と、垂直板部と水平板部とによりＬ形に形成され、受枠基体の内面に、目地に沿う方向に所定間隔で配設された複数の支持片と、各支持片の垂直板部の上端に差し渡された単一または複数の桟杆と、各支持片の水平板部の上端に差し渡されてカバー体の一端の下部を支承する支承板とを備えてなり、垂直板部の上端に差し渡された桟杆の側部に生じる間隙によって通水間隙が形成され、該通水間隙の下方領域で垂直板部の幅員によって生じる隙間及び支承板と受枠基体の水平縁との間に生じる間隙によって連通間隙が形成されている構成にあっては、受枠基体の内面の上部に開口し、目地に沿う方向に延在する通水間隙と、該通水間隙からカバー体の下部を経て目地に連通する連通間隙とを備えた排水路を保持受枠に設けることができる。
【図面の簡単な説明】
【００１２】
【図１】実施例にかかる床用目地カバー装置の施工状態を示す縦断面図である。
【図２】同上の床用目地カバー装置を構成するカバー体Ｃの縦断面図である。
【図３】同上のカバー体Ｃと摺動受枠２及び保持受枠１６の平面図である。
【図４】（Ａ）は床ｆ1 に配設された保持受枠１６の拡大縦断面図、（Ｂ）は保持受枠１６にカバー体Ｃの端部を連結した状態を示す拡大縦断面図である。
【図５】保持受枠１６の外観斜視図である。
【図６】他の形態のカバー体Ｃを備えた床用目地カバー装置の部分拡大縦断面図である。
【図７】カバー体Ｃの端縁に通水間隙ｃを備えた従来の床用目地カバー装置の部分拡大縦断面図である。
【発明を実施するための形態】
【００１３】
本発明にかかる床用目地カバー装置の一実施例を、図１〜図５に基づいて説明する。
【００１４】
図１において、Ａは緩衝機能を備えた免震装置（図示省略）によって下部が支持された免震構造の建造物、Ｂは該建造物Ａの周囲に形成された人工地盤からなる建造物であって、目地ｓを介して隣接している。目地ｓは、建造物Ａの周囲に沿って所定幅で形成され、地震時における建造物Ａと周囲の建造物Ｂとの水平方向の相対的な揺れを吸収し得るようになっている。
【００１５】
前記建造物Ｂの床ｆ2 の側縁には、図１に示すように、後述するカバー体Ｃの厚みに相当する深さで窪ませた支持段縁１が、目地ｓの幅方向（図１において左右方向）に所定幅で形成されており、該支持段縁１には摺動受枠２が配設されている。該摺動受枠２は、支持段縁１の上面を覆う水平状の下部受縁３ａと、該下部受縁３ａの後端から立ち上がり縁３ｂを介して連成されて床ｆ2 の前部上面を覆う水平状の上部受縁３ｃとを備えている。この摺動受枠２は、目地ｓに沿う方向（図１において前後方向）に延在するように配設されており、その長さは複数個のカバー体Ｃを横に並べて配置し得る長さとなっている。
【００１６】
建造物Ａの床ｆ1 と建造物Ｂの床ｆ2 の間には、カバー体Ｃが差し渡され、目地ｓを覆っている。該カバー体Ｃは、目地ｓに沿う方向に複数個が連続状に配設されるものであって、各カバー体Ｃは、図１に示すように、その一端が建造物Ａの床ｆ1 の側縁に、後述する連結手段２７を介して連結されている。各カバー体Ｃは、他端を自由端としており、該自由端が上述した摺動受枠２が配設された支持段縁１上に摺動可能に乗載されている。
【００１７】
各カバー体Ｃは、図２，図３に示すように、上面が開口した浅底矩形状の充填筐体部５と、該充填筐体部５の前部に配設されて前方へ延出された端部カバー板１１とを備えている。充填筐体部５は、ステンレス又はスチールからなる薄肉鋼板が素材に用いられており、矩形状の底板６と、該底板６の目地幅方向に沿う両側縁に夫々立設された左右の側壁板７，７と、前記底板６の後端縁に立設された後壁板８と、前記底板６の前端縁に立設された前壁板９とを備えている。この左右の側壁板７，７と後壁板８の当接縁は溶接を介して固着されている。ここで、左右の側壁板７，７と後壁板８及び前壁板９は、底板６の四辺縁に一体形成された帯板部を上方に向けて略直角に屈曲させることによって設けられている。尚、左右の側壁板７，７と後壁板８及び前壁板９は、底板６と別体形成したものを底板６の四辺縁に溶接を介して固着することにより設けることも可能である。左右の側壁板７，７と後壁板８はその上端縁が内方に向けて帯状に屈曲されており、該屈曲縁が補強縁となっている。また、前記底板６上には、モルタル止めを兼ねた複数の補強杆１０が目地ｓの幅方向に沿って配設されている。該補強杆１０は所要箇所が溶接を介して底板６の上面に固着されており、該補強杆１０によって底板６の面方向の強度を向上させるようにしている。
【００１８】
充填筐体部５の前部に配設された端部カバー板１１は、充填筐体部５の肉厚に比して若干厚肉の鋼板を素材に用いて断面Ｌ形に形成されており、後端に下方に向けて略直角に屈曲された遮蔽壁部１１ａを備えている。該端部カバー板１１は、遮蔽壁部１１ａの左右の側端部が、充填筐体部５の側壁板７，７の前端部に溶接を介して固着されており、該遮蔽壁部１１ａによって充填筐体部５の前部開口が遮蔽されている。また、遮蔽壁部１１ａの前面には、前記底板６の前端縁に立設された前壁板９が溶接を介して固着されている。
【００１９】
尚、各カバー体Ｃの充填筐体部５内には、施工時に周囲の床ｆ1 ，ｆ2（図１参照）上に敷設されるモルタル１２ａ及びタイル１２ｂ等からなる舗装材１２と同じ舗装材１２が充填されることとなる。
【００２０】
そして、カバー体Ｃの自由端は、図１に示すように、前壁板９と上述した摺動受枠２の立ち上がり縁３ｂとの間に適宜幅の間隙が生じるようにして摺動受枠２の下部受縁３ａが配設された支持段縁１上に乗載されており、前記間隙を作動間隙１５としている。また、端部カバー板１１は、建造物Ｂの床ｆ2 側に向けて突出されて、摺動受枠２の上部受縁３ｃ上に乗載されており、この端部カバー板１１によって前記作動間隙１５の上方が遮蔽されている。
【００２１】
建造物Ａの床ｆ1 の側縁に連結されるカバー体Ｃの一端には、図３に示すように、底板６の目地幅方向に沿う両側縁の近傍位置に、後述する連結杆２４（図４参照）を下方から遊嵌可能な挿通孔２５，２５が形成されている。該挿通孔２５，２５は、下端部が底板６に溶接された鋼材製の丸パイプからなるモルタル遮断筒２６，２６によって囲繞されている。
【００２２】
次に、本発明の要部について説明する。
カバー体Ｃの一端が連結される建造物Ａの床ｆ1 の側縁上には、目地ｓに沿う方向に延在するようにして保持受枠１６が配設されている。該保持受枠１６は、図４（Ａ），図５に示すように、水平縁１７ａと該水平縁１７ａの外端から上方に立ち上がる垂直縁１７ｂとからなる断面Ｌ形の受枠基体１７を備えており、該受枠基体１７の内面には、複数の支持片１８が目地ｓに沿う方向に所定間隔で配設されている。各支持片１８は、所定の幅員を備えた垂直板部１８ａと水平板部１８ｂとによりＬ形に形成されており、その外端縁及び下端縁が溶接を介して受枠基体１７の内面に固着されている。各支持片１８の垂直板部１８ａの上端には、二本の桟杆１９，１９が差し渡されており、各桟杆１９の側部に生じる間隙によって目地ｓに沿う方向に延在する通水間隙２０が形成されている。ここで、各桟杆１９はその上端が、受枠基体１７の垂直縁１７ｂの上端及び建造物Ａの床ｆ1 と同じ高さ位置となるように配設されており、また、各桟杆１９相互の間隔、即ち通水間隙２０は、ハイヒールの踵が嵌り込まない程度のスリット状細隙となっている。また、各支持片１８の水平板部１８ｂの上端には、カバー体Ｃの一端の下部を支承する支承板２１が差し渡されており、該支承板２１と受枠基体１７の水平縁１７ａとの間に生じる隙間及び前記通水間隙２０の下方領域で垂直板部１８ａの幅員によって生じる隙間によって連通間隙２２が形成されている。そして、これにより、目地ｓに沿う方向に延在する通水間隙２０を上部に備え、かつ該通水間隙２０からカバー体Ｃの下部を経て目地ｓに連通する連通間隙２２を備えた排水路２３が設けられている。尚、保持受枠１６は、ステンレス又はスチールからなる鋼板が素材に用いられており、その長さは前記摺動受枠２と同様に、複数個のカバー体Ｃを横に並べて配置し得る長さとなっている。また、各桟杆１９は、各支持片１８の垂直板部１８ａの上端に形成された凹部に嵌合した状態で溶接を介して固着されており、支承板２１は各支持片１８の水平板部１８ｂの上端に溶接を介して固着されている。
【００２３】
前記支承板２１は、該支承板２１に乗載されるカバー体Ｃの上面が、各桟杆１９の上端の高さと同じとなる高さ位置に配設されており、該支承板２１には、その下面側から挿通して該支承板２１に溶接を介して固着したボルトからなる複数の連結杆２４が、前記カバー体Ｃの底板６に形成された挿通孔２５に対応する位置に夫々立設されている。
【００２４】
各連結杆２４は、図４（Ｂ）に示すように、支承板２１上にカバー体Ｃの一端を乗載した状態において、前記底板６の各挿通孔２５に下方から遊嵌されて底板６の上方に突出されており、その突出部分にコイル状の圧縮バネからなる弾発部材２８が外嵌されている。連結杆２４の上部には鍔または座金を備えたナットからなる受圧部材２９が螺着され、該受圧部材２９によって弾発部材２８が適宜の圧縮状態に保持されており、その弾発力によってカバー体Ｃの一端が下方に付勢されている。このように受圧部材２９と底板６との間に介装された弾発部材２８は下方からさらに圧縮可能な圧縮状態となっており、これによって、カバー体Ｃの一端が揺動可能となっている。また、カバー体Ｃは、底板６の挿通孔２５に連結杆２４が遊嵌されていることにより、挿通孔２５の空き領域内で目地ｓの幅方向及び目地ｓに沿う方向に移動可能となっている。そして、この各連結杆２４と挿通孔２５と弾発部材２８と受圧部材２９とによって、カバー体Ｃの一端を建造物Ａの床ｆ1 の側縁に揺動可能に連結する連結手段２７が構成されている。また、各挿通孔２５に対応するカバー体Ｃの上部は、前記弾発部材２８及び受圧部材２９の取付け操作を可能とする操作口３０となっており、該操作口３０には遮蔽蓋３１が着脱可能に嵌着されている。
【００２５】
次に、かかる構成からなる床用目地カバー装置の作動態様について説明する。
地震時において、建造物Ａと、隣接する建造物Ｂとが近接する方向に相対変位すると、カバー体Ｃの自由端が作動間隙１５の範囲内で支持段縁１上を水平に摺動してその相対変位に追従する。
【００２６】
また、建造物Ａと、隣接する建造物Ｂとが離れる方向に相対変位すると、カバー体Ｃは、その自由端が支持段縁１上を、立ち上がり縁３ｂと逆方向に向けて水平に摺動してその相対変位に追従する。
【００２７】
また、建造物Ａと、隣接する建造物Ｂとが前後方向（目地ｓに沿う方向）に相対変位すると、カバー体Ｃの自由端は、支持段縁１上を前後方向に摺動してその相対変位に追従する。さらに、建造物Ａと、隣接する建造物Ｂとが上下方向に相対変位すると、カバー体Ｃは、連結手段２７により建造物Ａの床ｆ1 の側縁に連結された一端を支点として、建造物Ａもしくは隣接する建造物Ｂの上下動に伴なって傾動して、その相対変位に追従する。
【００２８】
かかる構成にあって、カバー体Ｃの一端が連結される建造物Ａの床ｆ1 の側縁に配設された保持受枠１６に、床ｆ1 と同一高さ位置で目地ｓに沿う方向に延在する通水間隙２０が設けられていることにより、地震或いはカバー体Ｃ上の通行による振動等に起因して複数のカバー体Ｃが目地ｓの幅方向に個々にずれても、そのずれに関わらず、常に通水間隙２０が目地ｓに沿う方向に整一に連続する状態が得られ、従来構成に比して外的美観を向上させることができる。また、該保持受枠１６には、前記通水間隙２０を上部に備え、かつ該通水間隙２０からカバー体Ｃの下部を経て目地ｓに連通する連通間隙２２を備えた排水路２３が設けられていることにより、降雨時に雨水を排水路２３の通水間隙２０から連通間隙２２内に流入させ、かつ該連通間隙２２を介して目地ｓへ流出させることができる。
【００２９】
尚、上述した実施例では、各支持片１８の垂直板部１８ａの上端に二本の桟杆１９，１９が差し渡されている構成を示したが、該桟杆１９の数は二本に限定されるものではなく、一本若しくは三本以上とすることもできる。また、充填筐体部５を備えたカバー体Ｃによって目地ｓを遮蔽するようにしているが、カバー体Ｃはこのような構成に限定されるものではなく、充填筐体部５を備えないカバー体Ｃ、例えば図６に示すように、グレーチング基体３２の上部に平板状のカバー板３３を配設してなるカバー体Ｃを備えた床用目地カバー装置に本発明を適用することも可能である。
【符号の説明】
【００３０】
Ａ  建造物
Ｂ  建造物
Ｃ  カバー体
ｆ1  床
ｆ2  床
ｓ  目地
１６  保持受枠
１７  受枠基体
１７ａ  水平縁
１７ｂ  垂直縁
１８  支持片
１８ａ  垂直板部
１８ｂ  水平板部
１９  桟杆
２０  通水間隙
２１  支承板
２２  連通間隙
２３  排水路
２７  連結手段
【図１】
2011058224.tif 000003
【図２】
2011058224.tif 000004
【図３】
2011058224.tif 000005
【図４】
2011058224.tif 000006
【図５】
2011058224.tif 000007
【図６】
2011058224.tif 000008
【図７】
2011058224.tif 000009